(57)【要約】【課題】  簡単な機構をもって、打撃した後の打撃球が直ちに元の位置に復帰し静止することのできる打撃練習装置を得る。【解決手段】  打撃球１を介して上部ワイヤー系と下部ワイヤー系とに分かれ、上部ワイヤー２及び下部ワイヤー３は定滑車と動滑車との組合せよりなる動滑車系５を介して他端を固定され、動滑車２１は一定方向への引戻し力を受けるとともにその定位置状態で予張力を有する。【選択図】  図１
2006326276.tif 000002
【特許請求の範囲】
【請求項１】
打撃球を介して上部ワイヤー系と下部ワイヤー系とに分かれ、
前記上部ワイヤー系の１本の上部ワイヤーと前記下部ワイヤー系の１本の下部ワイヤーとの一端部に打撃球が固定され、
前記上部ワイヤー及び前記下部ワイヤーは定滑車と動滑車との組合せよりなる動滑車系を介して他端を固定され、
前記動滑車に、前記打撃球に加えられる打撃力による該打撃球の飛び出しに伴う前記ワイヤーの引張り変位に抗する引戻し力を付与してなる、
ことを特徴とする球技用打撃練習装置。
【請求項２】
打撃球を介して上部ワイヤー系と下部ワイヤー系とに分かれ、
前記上部ワイヤー系の１本の上部ワイヤーと前記下部ワイヤー系の１本の下部ワイヤーとの一端部に打撃球が固定され、
前記上部ワイヤー及び前記下部ワイヤーは定滑車と動滑車との組合せよりなる動滑車系を介して他端を固定され、
前記動滑車は重錘による下方への引戻し力を受けるとともに、前記重錘は緩衝作用を有し、かつ定位置で最小丈高を採る変形性を有する、
ことを特徴とする球技用打撃練習装置。
【請求項３】
打撃球を介して上部ワイヤー系と下部ワイヤー系とに分かれ、
前記上部ワイヤー系の１本の上部ワイヤーと前記下部ワイヤー系の１本の下部ワイヤーとの一端部に打撃球が固定され、
前記上部ワイヤー及び前記下部ワイヤーは定滑車と動滑車との組合せよりなる動滑車系を介して他端を固定され、
前記動滑車は引張りばねによる引戻し力を受けるとともに、定位置への復帰に対して抵抗力を発揮する緩衝機構が付加されてなる、
ことを特徴とする球技用打撃練習装置。
【請求項４】
打撃球を介して上部ワイヤー系と下部ワイヤー系とに分かれ、
前記上部ワイヤー系の１本の上部ワイヤーと前記下部ワイヤー系の１本の下部ワイヤーとの一端部に打撃球が固定され、
前記上部ワイヤー及び前記下部ワイヤーは定滑車と動滑車との組合せよりなる動滑車系を介して他端を固定され、
前記動滑車はぜんまいばねによる引戻し力を受ける、
ことを特徴とする球技用打撃練習装置。
【発明の詳細な説明】
【技術分野】
【０００１】
この発明は、球技用打撃練習装置に関し、特には、野球、ソフトボール球技の打撃練習に好適な球技用打撃練習装置に関する。
【背景技術】
【０００２】
球技の打撃練習に際し、ワイヤーに打撃球を吊下げて該打撃球を打撃することが通常に行われているが、一旦打撃した球は揺動を続け、静止するまで時間がかかり、使い勝手が不便である。
また、バッティングマシーンもあるが、高価であって、その普及には難点がある。
【発明の開示】
【発明が解決しようとする課題】
【０００３】
本発明は上記実情に鑑みなされたものであり、簡単な機構をもって、打撃した後の打撃球が直ちに元の位置に復帰し静止することのできる打撃練習装置を得ることを目的とする。
【課題を解決するための手段】
【０００４】
本発明の球技用打撃練習装置は上記目的を達成するため、以下の構成を採る。
第１番目の発明（第１発明）の球技用打撃練習装置は、請求項１の記載のとおり、
打撃球を介して上部ワイヤー系と下部ワイヤー系とに分かれ、
前記上部ワイヤー系の１本の上部ワイヤーと前記下部ワイヤー系の１本の下部ワイヤーとの一端部に打撃球が固定され、
前記上部ワイヤー及び前記下部ワイヤーは定滑車と動滑車との組合せよりなる動滑車系を介して他端を固定され、
前記動滑車に、前記打撃球に加えられる打撃力による該打撃球の飛び出しに伴う前記ワイヤーの引張り変位に抗する引戻し力を付与してなる、ことを特徴とする。
本第１発明において、引戻し力は重力あるいはばね付勢力より得るものであるが、それ以外の手段を除外するものではない。
本第１発明は、具体的には以下の第１、第２、第３実施形態を含む。
上記構成において、
1)打撃球は鉛直に張られたワイヤー間に配されてなること、
2)打撃球は傾斜をもって張られたワイヤー間に配されてなること、
3)動滑車系は１組であること、
4)動滑車系は２組以上であって、各動滑車は連結されてなること、
5)上部ワイヤー系と下部ワイヤー系との動滑車系は共通のものとすること、
6)上部ワイヤー系と下部ワイヤー系との動滑車系は別系統とすること、
は適宜採択される選択的事項である。
（作用）
動滑車の最下方位置で定位置状態を採り、かつ該定位置で動滑車は所定の引戻し力により予張力を得る。そして、打撃球はワイヤーを介して引戻し力により予張力を受け、風等の弱い外力に対して、揺れを生じることはない。
打撃球を打撃すると、打撃力により上部ワイヤーと下部ワイヤーとは同時に打撃方向に引き出され、動滑車に対する引戻し力に抗して動滑車を移動させ、打撃球は引戻し力とつり合う位置まで飛翔する。同時に動滑車の移動も止まる。
その後、動滑車は引戻し力により引き戻され、同時にワイヤーとともに打撃球を元の位置へと引き戻す。
【０００５】
第２番目の発明（第２発明）の球技用打撃練習装置は、請求項２の記載のとおり、
打撃球を介して上部ワイヤー系と下部ワイヤー系とに分かれ、
前記上部ワイヤー系の１本の上部ワイヤーと前記下部ワイヤー系の１本の下部ワイヤーとの一端部に打撃球が固定され、
前記上部ワイヤー及び前記下部ワイヤーは定滑車と動滑車との組合せよりなる動滑車系を介して他端を固定され、
前記動滑車は重錘による下方への引戻し力を受けるとともに、前記重錘は緩衝作用を有し、かつ定位置で最小丈高を採る変形性を有する、
ことを特徴とする。
本第２発明は、具体的には以下の第１実施形態に開示される。
上記構成において、
1)打撃球は鉛直に張られたワイヤー間に配されてなること、
2)打撃球は傾斜をもって張られたワイヤー間に配されてなること、
3)動滑車系は１組であること、
4)動滑車系は２組以上であって、各動滑車は連結されてなること、
5)上部ワイヤー系と下部ワイヤー系との動滑車系は共通のものとすること、
6)上部ワイヤー系と下部ワイヤー系との動滑車系は別系統とすること、
は適宜採択される選択的事項である。
（作用）
動滑車の最下方位置で定位置状態を採り、かつ該定位置で動滑車は重錘からの予張力を得る。
打撃球は通常状態で、打撃球はワイヤーを介して重錘により予張力を受け、風等の弱い外力に対して、揺れを生じることはない。
打撃球を打撃すると、打撃力により上部ワイヤーと下部ワイヤーとは同時に打撃方向に引き出され、重錘の重力による引戻し力に抗して動滑車を移動させ、打撃球は引戻し力とつり合う位置まで飛翔する。同時に動滑車の移動も止まる。
その後、動滑車は引戻し力により引き戻され、同時にワイヤーとともに打撃球を元の位置へと引き戻す。
重錘は下底の着座とともに緩衝作用を発揮し、収縮状態となって動滑車の最下方位置でその移動は停止する。
【０００６】
第３番目の発明（第３発明）の球技用打撃練習装置は、請求項３の記載のとおり、
打撃球を介して上部ワイヤー系と下部ワイヤー系とに分かれ、
前記上部ワイヤー系の１本の上部ワイヤーと前記下部ワイヤー系の１本の下部ワイヤーとの一端部に打撃球が固定され、
前記上部ワイヤー及び前記下部ワイヤーは定滑車と動滑車との組合せよりなる動滑車系を介して他端を固定され、
前記動滑車は引張りばねによる引戻し力を受けるとともに、定位置への復帰に対して抵抗力を発揮する緩衝機構が付加されてなる、
ことを特徴とする。
本第３発明は、具体的には以下の第２実施形態に開示される。
本第３発明において、引張りばねは鉛直下方向への引戻し力を与え、緩衝機構は水中に没して抵抗力を得ることは他の発明を構成する。
また、引張りばねは水平横方向への引戻し力を与えることは、更に別な発明を構成をする。
上記各発明において、
1)打撃球は鉛直に張られたワイヤー間に配されてなること、
2)打撃球は傾斜をもって張られたワイヤー間に配されてなること、
3)動滑車系は１組であること、
4)動滑車系は２組以上であって、各動滑車は連結されてなること、
5)上部ワイヤー系と下部ワイヤー系との動滑車系は共通のものとすること、
6)上部ワイヤー系と下部ワイヤー系との動滑車系は別系統とすること、
は適宜採択される選択的事項である。
（作用）
動滑車の最下方位置もしくは最引出し位置で定位置状態を採り、かつ該定位置で動滑車は引張りばねからの予張力を得る。
打撃球は通常状態で、打撃球はワイヤーを介して引張りばねにより予張力を受け、風等の弱い外力に対して、揺れを生じることはない。
打撃球を打撃すると、打撃力により上部ワイヤーと下部ワイヤーとは同時に打撃方向に引き出され、引張りばねの引戻し力に抗して動滑車を移動させ、打撃球は引戻し力とつり合う位置まで飛翔する。同時に動滑車の移動も止まる。
その後、動滑車は引張りばねの引戻し力により引き戻され、同時にワイヤーとともに打撃球を元の位置へと引き戻す。
動滑車の最下方位置に達する直近位置で緩衝作用が発揮され、その最下方位置で動滑車の移動は停止する。
水中抵抗による緩衝作用は特性値が明確であり、所定の距離をもって停止する。
【０００７】
第４番目の発明（第４発明）の球技用打撃練習装置は、請求項４の記載のとおり、
打撃球を介して上部ワイヤー系と下部ワイヤー系とに分かれ、
前記上部ワイヤー系の１本の上部ワイヤーと前記下部ワイヤー系の１本の下部ワイヤーとの一端部に打撃球が固定され、
前記上部ワイヤー及び前記下部ワイヤーは定滑車と動滑車との組合せよりなる動滑車系を介して他端を固定され、
前記動滑車はぜんまいばねによる引戻し力を受ける、
ことを特徴とする。
本第４発明は、具体的には以下の第３実施形態に開示される。
また、ぜんまいばねは水平横方向への引戻し力を与えることは、更に別な発明を構成をする。
上記各発明において、
1)打撃球は鉛直に張られたワイヤー間に配されてなること、
2)打撃球は傾斜をもって張られたワイヤー間に配されてなること、
3)動滑車系は１組であること、
4)動滑車系は２組以上であって、各動滑車は連結されてなること、
5)上部ワイヤー系と下部ワイヤー系との動滑車系は共通のものとすること、
6)上部ワイヤー系と下部ワイヤー系との動滑車系は別系統とすること、
は適宜採択される選択的事項である。
（作用）
打撃球は定常状態で、打撃球はワイヤーを介してぜんまいばねにより予張力を受け、風等の弱い外力に対して、揺れを生じることはない。
打撃球を打撃すると、打撃力により上部ワイヤーと下部ワイヤーとは同時に打撃方向に引き出され、ぜんまいばねの引戻し力に抗して動滑車を移動させ、打撃球は引戻し力とつり合う位置まで飛翔する。同時に動滑車の移動も止まる。
その後、動滑車はぜんまいばねの引戻し力により引き戻され、同時にワイヤーとともに打撃球を元の位置へと引き戻す。
【発明の効果】
【０００８】
本発明によれば、定状態で安定して静止し、打撃球は打撃された方向（ベクトル）に追従して飛翔し、また、揺動運動をなすことなく、元の位置へ速やかに復帰し停止する。
また、本発明の機構は簡単であり、制作費は安価ですむ。
【発明を実施するための最良の形態】
【０００９】
本発明の球技用打撃練習装置の実施の形態を図面に基づいて説明する。
（第１実施形態）
図１〜図５は本球技用打撃練習装置の一実施形態（第１実施形態）を示し、野球用打撃練習装置への適用例を示す。なお、本球技用打撃練習装置では縦方向打撃の態様を採る。
図において、図１及び図２は本球技用打撃練習装置の全体構成を示し、図３〜図５は各部分構成を示す。
【００１０】
図１に示すように、本実施形態の打撃練習装置Ｓは、打撃球１を介して上部ワイヤー２を主体とする上部ワイヤー系と下部ワイヤー３を主体とする下部ワイヤー系とに分かれる。打撃球１と上部ワイヤー２及び下部ワイヤー３の各前半部とは打撃機構部Ｓａを構成し、上部ワイヤー２及び下部ワイヤー３の各後半部は復帰機構部Ｓｂを構成する。打撃機構部Ｓａは打撃練習者の打撃空間を提供し、打撃によるワイヤー２，３の繰出しを後部の復帰機構部Ｓｂに伝える。また、復帰機構部Ｓｂは動滑車系５、引戻し機構６を含み、ワイヤー２，３の繰出しに伴う所定の引戻し作用を発揮する。
また、図１以下に示す図において、Ｈは天井部、Ｉは床部を示すが、これらは本打撃練習装置Ｓの組み込まれる構造物の固定系をなす。該構造物は通常は機枠構造を採る。
【００１１】
以下、更に詳しく説明する。
打撃機構部Ｓａ（図１、図２参照）
打撃機構部Ｓａは打撃球１と上部ワイヤー２及び下部ワイヤー３の各前半部とからなる。該打撃機構部Ｓａは天井部Ｈと床部Ｉとの間に設置される。
【００１２】
打撃球１
打撃球１は、上下にワイヤー１０，１１を有し、それぞれのワイヤー１０，１１には接手１２ａ，１３ａを有する。ワイヤー１０，１１は別体であっても、また一本ものであってもよい。
【００１３】
上部ワイヤー２
上部ワイヤー２の前半の端部には前記接手１２ａと離脱自在に接合する接手１２ｂを有する。
接手部１２は接手１２ａと１２ｂとからなり、適宜離脱可能とされ、その構成は公知のものが使用される。接手部１２の位置は本実施形態では天井部Ｈの近傍に配されているが、その位置は自由である。
上部ワイヤー２は天井部Ｈに固定された定滑車１５を介して方向を変え、復帰機構Ｓｂに導かれる。１５ａは定滑車１５の軸部、１５ｂは該定滑車１５を天井部Ｈから吊す固定材である。
なお、ワイヤーは好ましくは軽量で、耐引張力の大きい素材が選ばれるが、そのようなものとしてナイロン製繊維が推奨される。
【００１４】
下部ワイヤー３
下部ワイヤー３の前半の端部には前記接手１３ａと離脱自在に接合する接手１３ｂを有する。
接手部１３は接手１３ａと１３ｂとからなり、適宜離脱可能とされ、その構成は公知のものが使用される。接手部１３の位置は本実施形態では床部Ｉの近傍に配されているが、その位置は自由である。
下部ワイヤー３は床部Ｉに固定された定滑車１６，１７を介して復帰機構Ｓｂに導かれる。１６ａ、１６ｂは定滑車１６の軸部、固定材であり１７ａ、１７ｂは定滑車１７の軸部、固定材である。
【００１５】
本実施形態において、定滑車１５と定滑車１６とは鉛直に配されることにより、打撃球１は鉛直状のワイヤー間に配されるものであり、安定的な配置状態を採るものである。
【００１６】
復帰機構部Ｓｂ（図１〜図５参照）
復帰機構部Ｓｂは上部ワイヤー２及び下部ワイヤー３の後半部からなり、動滑車系５、引戻し機構６を含む。
上部ワイヤー２及び下部ワイヤー３は途中において１つの動滑車系５を介し、その後端は天井部Ｈでの固定部Ｆをもって固定される。引戻し機構６は動滑車系５の動滑車に連動して配される。
【００１７】
動滑車系５（図３参照）
動滑車系５は、定滑車２０、動滑車２１よりなり、前記したワイヤー２，３の後半がともに順次滑車２０，２１に巻き掛けられ、その後端は固定点Ｆに固定される。
定滑車２０はその軸部２０ａを固定材２０ｂを介して回転自在に天井部Ｈに固定され、定滑車２０には上部ワイヤー２及び下部ワイヤー３が導かれる。
動滑車２１は定滑車２０と固定点Ｆとの間に配される。該動滑車２１は本実施形態では偏心作用を避けるため定滑車２０と同径のものが使用されるが、偏心作用の影響を除去できれば定滑車２０と径を違えてもよい。
【００１８】
引戻し機構６（図３〜図５参照）
引戻し機構６は、重錘２３を主体とし、吊下げ材２４を介して動滑車２１より吊下げられる。
本重錘２３は所定の重量（Ｇ）を有し、また丈高が可変となるいわゆる可変形重錘であるとともに、緩衝作用も有するものであり、多機能性を発揮する。
可変形重錘としての重錘２３は、定位置としての着座状態にあるときは丈高が低く、移動中の吊下げ状態にあるときは丈高が高くなる。また、緩衝作用の緩衝材として乾燥砂及びその類似態様のものが選ばれる。
上記の諸機能を満たす重錘２３として、可撓性袋２５に砂材２６を充填してなるいわゆる砂袋が採用される。可撓性袋２５は強度の大きい合成樹脂製袋が選ばれ、原形において底面が大きい円盤状のものが好ましい。該可撓性袋２５には砂材２６が一定空間を存してかつ一定量封入されてなる。
図４にその一例示態様を示す。（ａ）図は可撓性袋２５の原形状態（空状態）を示し、下底が円錐台形をなし、胴太体をなす。（ｂ）図は該可撓性袋２５に砂材２６を封入して着座させた定位置状態を示し、底面が広く平坦状をなし、丈高が低い。（ｃ）図は該可撓性袋２５の吊下げ状態を示し、丈高が高い。
吊下げ材２４は通常の引張り材であればよく、また可撓体、剛性体を問わない。該吊下げ材２４は、動滑車２１の軸部に一端を回転自在に固定され、他端を重錘２３の袋体２５の頂部に固定される。
【００１９】
重錘２３は定位置で床部Ｉもしくは他の固定物上に所定の形状を保って載置される。すなわち、該重錘２３は上方より吊下げ材２４にたるみを生じることなく一定張力（Ｔ）で吊り下げられる。これにより、打撃機構部Ｓａにおいてワイヤー２，３は所定の張力を保持する。
【００２０】
図５は動滑車２１の最下位状態を示す。
すなわち、Ｌ０は動滑車２１の最下位位置を示し、この状態で荷重Ｔで引張られている。Ｌ１は緩衝作用の始点位置を示し、Ｊはこの始点位置Ｌ１から動滑車２１の最下位位置Ｌ０までの距離すなわち緩衝距離を示す。これにより動滑車２１は定位置で吊下げ材２４を介して荷重Ｔで引張られる。
【００２１】
（本打撃練習装置Ｓの設置）
本打撃練習装置Ｓは本実施形態では建物内での天井Ｈと床部Ｉとの間に配される態様を採ったが、１つの機枠（フレーム）内に一括して設置することができる。
【００２２】
（本打撃練習装置Ｓの作用）
上記構成よりなる本球技用打撃練習装置Ｓは以下の作用をなす。
図１は本装置Ｓの静止状態（これを「定状態」という）を示し、図２は本装置Ｓの作動状態（これを「動状態」という）を示す。
定状態において、打撃球１はワイヤー２，３を介して重錘２３により予張力を受け、風等の弱い外力に対して、揺れを生じることはない。すなわち、打撃機構部Ｓａの定滑車１５と１６とでワイヤー２，３は鉛直状に強く上下に引張られて安定状態を保持する。
【００２３】
打撃の練習のため、練習者がバットをもって打撃球１を打撃すると、打撃球１はその打撃力をもって該打撃力のベクトル方向に飛び出す。打撃球１の飛出しに応じて上下部ワイヤー２，３は打撃球１に追従して繰り出される。その繰出し速度をＶとする。
打撃機構部Ｓａにおいては、ワイヤー２は天井部の定滑車１５を介して、ワイヤー３は床部の定滑車１６，１７を介して方向を変え、天井部の定滑車２０へ導かれる。
復帰機構部Ｓｂにおいては、動滑車２１は重錘２３を持ち上げつつ上方へ引き上げられる。動滑車２１、重錘２３の引上げ速度はワイヤー２，３の繰出し速度Ｖの１／２Ｖとなる。重錘２３は着座状態では丈高が低いものであったが、吊下げ移動状態では丈高が高くなる。すなわち、動滑車２１の上昇初期は重錘２３は持ち上がらないが、動滑車２１の上昇の継続に伴い重錘２３は持ち上げられ、動滑車２１と同一速度で上昇する。
打撃力による打撃球１の飛出しエネルギーと重錘２３の持上げエネルギーが釣合ったところで打撃球１は一旦運動を停止し、次いで、重錘２３はその重さで下方へ落下する。
重錘２３の落下に伴い、打撃球１は空中を元位置方向へ飛翔する。
重錘２３の底面が載置面Ｉに当接すると、該重錘２３は形を変形させ、移動距離Ｊをもって衝撃力を吸収する。
動滑車２１及び重錘２３の最下位置に至るまでに衝撃力は吸収され、重錘２３は載置面Ｉに着座する。重錘２３は更に吊下げ状態となっているので、ワイヤー２，３に対して予張力を与え、打撃機構部Ｓａでの打撃球１を安定して静止状態とする。
【００２４】
（効果）
本打撃練習装置Ｓによれば、打撃球１の打ち戻しの元位置での揺動がなく、直ちに停止し、次の打撃に備えることができる。
また、機構が簡単で、製作費が安価で済む。
【００２５】
叙上の実施形態の復帰機構Ｓｂでは、単一の動滑車系５よりなるものであるが、２もしくは３以上の動滑車系を有する態様を採ることができる。
図６・図７はその一例であって、２つの動滑車系５ａ，５ｂよりなる復帰機構部Ｓｂを示す。図において、先の実施形態と同等のものは同一の符号をもって示し、更に定滑車３０，３１、動滑車３２が付加される。
動滑車系５ａは定滑車２０、動滑車２１、定滑車３０よりなり、動滑車系５ｂは定滑車３１、動滑車３２、固定点Ｆよりなる。
図示されるように、更に動滑車２１，３２は連結杆３４を介して連結され、一体として上下動する。連結杆３４の上下動はガイド柱３５をもって案内される。連結杆３４は矩形断面の棒状体をなし、両端部にローラ３４ａが配される。ガイド柱３５はコ字形断面をなし、鉛直に立設され、その溝部３５ａ内にローラ３４ａを案内する。
重錘２３は共通となっているが、個々に配されてもよい。
本態様では、ワイヤー２，３の長さを大きく採れるが、応答性としての上下動の速度は１／４Ｖとなる。
【００２６】
（他の実施形態）
図８〜図１０は打撃練習装置Ｓの他の実施形態（第２実施形態）を示す。
この打撃練習装置Ｓの復帰機構部Ｓｂにおいては、動滑車系５は先の実施形態と同一の構成を採るが、引戻し機構６Ａにおいては別の態様を採る。
引戻し機構６Ａは動滑車２１に連結される継ぎ杆４０の下端にその一端を連結されるコイルばね４２を主体とし、該コイルばね４２の他端は固定点Ｚをもって床部Ｉに固定される。該コイルばね４２はいわゆる引張りばねが採用される。動滑車２１の最低位置において該コイルばね４２は若干の予張力状態を採る。継ぎ杆４０は所定の径と剛性を有する。
継ぎ杆４０に緩衝機構４４が付加される。すなわち、該緩衝機構４４は、継ぎ杆４０から張設される抵抗体４５と該抵抗体４５を収容する容器部４６とからなる。
もっと詳しくは、抵抗体４５は腕部４７と抵抗盤４８とからなり、腕部４７はその一端を継ぎ杆４０に剛接され、放射状に配されてなる。腕部４７の他端には抵抗盤４８が水平を保って固設される。抵抗盤４８は個々に独立する態様、また円環体をなす態様を採る。
図９はその一態様を示し、抵抗盤４８は円板状をなすとともに、上下に貫通する複数の円孔４８ａを有する。円孔４８ａの全部もしくは一部には抵抗盤４８の裏部に逆止弁４９が配されることが好ましいが、これは必須の要件ではない。
図１０は更に他の態様を示す。この抵抗盤４８Ａは、中央の固定板５１と該固定板５１に蝶番５２を介して取り付けられる可動板５３とからなる。可動板５３は上部ストッパー５４により上方への跳ね上りが阻止され、下部ストッパー５５により下方への折れ込みが阻止される。
容器部４６は中央に孔４６ａを有し、該孔４６ａ内にコイルばね４２が挿通され、該コイルばね４２の伸長を自在とする。
容器部４６には水Ｗが充填され、定位置において抵抗体４５の抵抗盤４８が所定深さまで水中に没して配される。
【００２７】
（作用）
定状態において、動滑車系５の動滑車２１は最下方位置にあり、コイルばね４２は予張力を有する。打撃球１はワイヤー２，３を介してコイルばね４２により予張力を受け、風等の弱い外力に対して、揺れを生じることはない。すなわち、打撃機構部Ｓａの定滑車１５と１６とでワイヤー２，３は鉛直状に強く上下に引張られて安定状態を保持する。
動状態において、打撃球１の打撃によるワイヤー２，３の繰出しに伴い、動滑車２１は上方へ引き上げられ、同時にコイルばね４２は伸張する。動滑車２１の引上げにより抵抗体４５の抵抗盤４８が水中Ｗより引上げられるがその抵抗力は小さい。
動滑車２１の持上げ力とコイルばね４２の弾性抗力（付勢力）が釣合ったところで打撃球１は一旦運動を停止し、次いで、コイルばね４２は所定の収縮力をもって収縮する。これに伴い、動滑車２１も下方へ移動し、かつワイヤー２，３を元位置へ引き戻し、打撃球１は空中を元位置に向かって飛翔する。
動滑車２１の降下に伴い、抵抗体４５の抵抗盤４８が水面に衝接し、その逆止弁４９を閉塞させて大きな抵抗力をもって水中Ｗに沈み込む。
動滑車２１の最下方位置に至るまでに当該抵抗力により衝撃力は吸収され、動滑車２１は最下方位置で静かに停止する。コイルばね４２は更に引張力を保持し、ワイヤー２，３に対し予張力を与え、打撃機構部Ｓａでの打撃球１を安定して静止保持状態とする。
また、抵抗盤４８Ａによる場合においても、上記した抵抗盤４８に準じた作用を発揮する。すなわち、上昇時には可動板５３は下部ストッパー５５により抵抗面積を減じ、降下時には可動板５３は上部ストッパー５４により抵抗面積を増大させる。
【００２８】
（効果）
本実施形態においても、打撃球１は定状態で安定して静止し、また打撃により飛び出した打撃球１は速やかに元位置に復帰し停止する。
また、その緩衝特性は第１実施形態に比して明確で、設定作業が容易である。
【００２９】
（変形例）
本実施形態のコイルばねの付勢力による引戻し機構は横（水平）置き配置、更には斜め配置としてもよい。この場合、緩衝機構は水の使用はなされず、他の手段、例えば高クッション材の使用がなされる。
【００３０】
叙上の第１実施形態では、重錘２３には可動性袋２５内に砂材２６を封入して緩衝作用を付与させてなるが、マグネットを付加する態様も採りうる。
図１１はこの磁石式を示す。図において、ｍ１は可動性砂袋２５の底部に固定された磁石、ｍ２は床部Ｉに埋設された他の磁石、５７は床部Ｉの表面に敷設されたゴムマットである。磁石ｍ１とｍ２とは互いに吸着する。
【００３１】
（第３実施形態）
図１２〜図１８に本打撃練習装置の発明の更に他の実施形態（第３実施形態）を示す。図において、先の第１・第２実施形態と同等の部材については同一の符号が附されている。
図示されるように、本打撃練習装置Ｓ２は、打撃球１を介して上部ワイヤー２を主体とする上部ワイヤー系と下部ワイヤー３を主体とする下部ワイヤー系とに分かれる。打撃球１と上部ワイヤー２及び下部ワイヤー３の各前半部とは打撃機構部Ｓａを構成し、上部ワイヤー２及び下部ワイヤー３の各後半部は復帰機構部Ｓｂを構成する。復帰機構部Ｓｂは動滑車系５、引戻し機構６Ｂを含み、ワイヤー２，３の繰出しに伴う所定の引戻し作用を発揮する。
しかして、この打撃練習装置Ｓ２は、横方向打撃及びぜんまいばね付勢の態様、更には上下部ワイヤーの復帰機構部Ｓｂが独立する態様を採るものである。
すなわち、図１２は本装置Ｓ２の側面方向の構成（一部省略）を示し、かつ、定位置状態を示す。図１２では復帰機構部Ｓｂは縦に表示されているが、実際には横方向に配される。図１３は本装置Ｓ２の正面方向の構成を示し、かつ、動位置状態を示す。図１３では復帰機構部Ｓｂは打撃機構部Ｓａに並べて表示されているが、実際には紙面の奥方にある。
これらの図において、天井部Ｈ及び床部Ｉは固定系を構成するものであるが、フレーム（機枠）においては一体をなすものである。
【００３２】
以下、主に本打撃練習装置Ｓ２が特徴とするところを説明する。
打撃機構部Ｓａ（図１２〜図１５参照）
本打撃機構部Ｓａは、天井部Ｈ又は機枠の上部に固定される定滑車１５Ａ及び床部Ｉ又は機枠の下部に固定される定滑車１６Ａを除き、先の実施形態に準じる。
天井部Ｈに固定される定滑車１５Ａは、打撃球１の横方向の変位を許容するように、横方向への揺動を許容する構成を採る。
詳しくは、該定滑車１５Ａは、いわゆる振動式であって、滑車１５ｃ、該滑車１５ｃの周面の溝１５ｄ、滑車１５ｃを回転自在に保持する軸１５ｅ、軸１５ｅを保持する保持枠１５ｆ、天井部Ｈに固定される取付け杆１５ｇ、取付け杆１５ｇと保持枠１５ｆとに介装される回転軸１５ｈよりなる。
同じく床部Ｉに固定される定滑車１６Ａは、打撃球１の横方向の変位を許容するように、横方向への揺動を許容する構成を採る。
該定滑車１６Ａは、上下を逆にして定滑車１５Ａに準じる構成を採り、滑車、溝、軸、保持枠、取付け杆及び回転軸よりなる。
【００３３】
復帰機構部Ｓｂ（図１２、図１３、図１６〜図１８参照）
復帰機構部Ｓｂは動滑車系５、引戻し機構６Ｂよりなることは先の実施形態と変わりがないが、上部ワイヤー２に連動する復帰機構部と下部ワイヤー３に連動する復帰機構部とが独立して配されること、引戻し機構６Ｂにぜんまいばね付勢機構が採用されることを特徴とする。
上部ワイヤー２系と下部ワイヤー３系との各復帰機構部Ｓｂは基本的に同一の構成を採り、特に断らない限り共通的に説明する。
上部ワイヤー２系と下部ワイヤー３系との復帰機構Ｓｂの動滑車系５は先の実施形態と変わりがない。
【００３４】
引戻し機構６Ｂ（図１６〜図１８）
本実施形態の復帰機構Ｓｂにおいては引戻し機構６Ｂに特徴を有する。
この引戻し機構６Ｂは、動滑車２１より吊設される吊下げ材７０、吊下げ材７０に載荷される重錘部７１、重錘部７１の載置されるストッパー７２及び、床部Ｉもしくは機枠に固定されるとともに重錘部７１の底面に固定される引張り材７４を所定の付勢力をもって引き込むぜんまいばね式引戻し装置７５からなる。
（吊下げ材７０、重錘部７１、ストッパー７２）
吊下げ材７０は、動滑車系５の動滑車２１の軸部を介して重錘部７１を吊り下げる。
重錘部７１は、床板７１ａと単数もしくは複数のスライス板７１ｂとからなる。スライス板７１ｂの単数又は複数板を積重ねることにより重さを調整し、打撃球１の飛翔状態を変えることとなる。スライス板７１ｂは床板７１ａに強固に固定される。
重錘部７１は特に重量物である必要はなく、軽量であってもよく、要は荷重調整、更にはストッパー７２との停止作用に資することである。
該重錘部７１は動滑車２１と一体となって上下動するが、先の実施形態で述べたガイド柱３５の機能を適用し、ぶれることなく上下動を案内する。すなわち、図において７７はそのガイド柱であって、重錘部７１の側方に取り付けられたすべりあるいは転動部材７８をガイド柱７７に当接させる。なお、ガイド柱７７は天井部Ｈと床部Ｉとの間に固定設置されるか、機枠に固定設置され、固定系の一部をなす。
ストッパー７２は、固定系に属し、本実施形態ではガイド柱７７に固定され、床部Ｉの近傍に配される。該ストッパー７２は重錘部７１の運動を止めるものであって、硬質、軟質素材を問わない。緩衝作用を有することを妨げない。
【００３５】
（引張り材７４・ぜんまいばね式引戻し装置７５）
引張り材７４は、一端を重錘部７１の底面に固定され、他端部はぜんまいばね式引戻し装置７５内に引き入れられ、後述する巻取りドラムに固定される。定位置状態ではぜんまいばね式引戻し装置７５内に引き込まれている。
ぜんまいばね式引戻し装置７５は、図１７・図１８に示すように、ぜんまい箱８０と、該ぜんまい箱８０に枢着される回転軸８１と、該回転軸８１に相並んで固設される引張り材巻取りドラム８２及びぜんまいばね８３と、からなる。
なお、回転軸８１はぜんまい箱８０と絶縁される構成を採り得る。
引張り材巻取りドラム８２には定位置状態で前記した引張り材７４が巻き取られる。
ぜんまいばね８３は、薄板のばね板が螺旋状に多重に巻かれ、その一端をぜんまい箱８０の内壁に直接あるいは取付け用の突起部８５を介して固定され、他端を回転軸８１に直接あるいは取付け用の突起部８６を介して固定される。ぜんまいばね８３は定位置状態で巻取り状態となり、エネルギーを蓄えた状態を採る。
定位置状態より引張り材７４が引き出されると、巻取りドラム８２はぜんまいばね８３の付勢力に抗して回転軸８１を回転させ、該回転軸８１を介してぜんまいばね８３は引き伸ばし作用を受ける。引張り材７４はぜんまいばね８３の付勢力の釣合う位置まで引き出され、しかる後、ぜんまいばね８３の付勢力を受けて回転軸８１が逆回転となり、巻取りドラム８２は逆回転動をもって引張り材７４を巻き取る。
なお、定位置状態で本ぜんまいばね式引戻し装置７５は引張り材７４に予張力を与えておくものとする。
図示したぜんまいばね式引戻し装置７５の構成は一例示であって、図等の作用をなす他の構成を除外するものではない。
【００３６】
（配置態様）
復帰機構部Ｓｂにつき、図例では各上部ワイヤー２系及び下部ワイヤー３系を横方向に相並べて配設されているが、縦方向（装置の奥行き方向）へ相並べて配設すること、あるいは横方向へ、かつ前後に間隔を保って配設すること、更には斜めに配置することは自由である。
更に、動滑車系５及び引戻し機構部６を含め、図例では鉛直方向に配されているが、ぜんまいばね式引戻し装置７５の付勢方向は鉛直方向に限定されるものではなく、傾斜を付して配されてもよい。
【００３７】
（本打撃練習装置Ｓ２の作用）
叙上の構成よりなる本実施形態の打撃練習装置Ｓ２は以下の作用を奏する。
練習者は本打撃練習装置Ｓ２の正面に立って、バットをもって打撃球１を打撃する。
打撃球１の横方向への飛出しに応じて、定滑車１５Ａ，１６Ａは横方向に揺動し、ワイヤー２，３は打撃球１に追従して円滑に繰り出される。
ワイヤー２，３はそれぞれ別系統の復帰機構部Ｓｂに導かれる。
各系統に共通して、復帰機構部Ｓｂにおいては、動滑車２１はワイヤー２，３の引出しに伴い上昇するとともに、重錘部７１を介して引張り材７４をぜんまいばね式引戻し装置７５から引き出す。
打撃力による打撃球１の飛出しエネルギーと、動滑車２１・重錘部７１の持上げエネルギー及びぜんまいばね式引戻し装置７５のぜんまいばね８３の付勢エネルギーが釣合ったところで打撃球１は一旦運動を停止する。次いで、ぜんまいばね式引戻し装置７５のぜんまいばね８３の付勢力及び動滑車２１・重錘部７１の重さで下方へ降下する。
動滑車２１の降下に伴い、ワイヤー２，３は引き戻され、打撃球１は空中を元位置方向へ飛翔する。この降下は重錘部７１の底面がストッパー７２に当接して停止する。
ぜんまいばね式引戻し装置７５は、ワイヤー２，３に対して予張力を与え、打撃機構部Ｓａでの打撃球１を安定して静止状態とする。
打撃球１の飛翔において、下部ワイヤー３の追従性を上げるべく、重錘部７１のスライス板７１ｂを少なくして、荷重調整を図る。
【００３８】
（本装置Ｓ２の効果）
本打撃練習装置Ｓ２によれば、横方向打撃態様を採ることにより、装置全体の縦長（奥行長さ）が短縮される。
また、引戻し力をぜんまいばね式引戻し装置７５のぜんまいばねより得るので、場所を取らず、小型化できる。
更に、上部ワイヤー２系と下部ワイヤー３系とを別系統としたので、その引戻し力の加減を各系統別に調整でき、ひいいては微調整が可能である。
【００３９】
（変形態様）
本打撃練習装置Ｓ２の復帰機構部Ｓｂ、就中引戻し機構６Ｂにおいて、その本質的機構はぜんまいばねの付勢機構にあり、叙上の構成に限定されるものではなく、重錘部７１の省略、ストッパー７２の省略がなされる。なお、ストッパー７２の省略においては、ぜんまいばね式引戻し装置７５自体がストッパー機能を有すればよい。
【００４０】
本発明は上記実施の形態に限定されるものではなく、本発明の基本的技術思想の範囲内で種々設計変更が可能である。
1)  先の第１・第２実施形態では、上部ワイヤー２と下部ワイヤー３とを復帰機構Ｓｂでは共通の機構としたが、別系統としてもよい。
第３実施形態においても、上部ワイヤー２と下部ワイヤー３とを復帰機構Ｓｂでは共通の機構とすることを妨げない。
2)  打撃機構部Ｓａにつき、第１・第２実施形態では縦方向打撃の様態、第３実施形態では横方向打撃の態様を示したが、第１・第２実施形態において横方向打撃の態様、第３実施形態において縦方向打撃の態様を採ることは自由である。
すなわち、第１・第２実施形態の打撃機構部Ｓａは第３実施形態の打撃機構部Ｓａ（図１２〜図１５参照）を採り、第３実施形態の打撃機構部Ｓａは第１・第２実施形態の打撃機構部Ｓａ（図１，図２参照）を採るものである。
3)  叙上の各実施形態では、野球用としての打撃練習装置を示したが、他の球技への適用も可能である。
すなわち、バレーボール（排球）用としては、打撃機構部Ｓａにおいて打撃球１を上方位置で横張りとすればよく、スパイクの練習に供せられる。サッカー用としては下方の横張りとすればよく、シュートの練習に供せられる。
この場合、上部ワイヤー２と下部ワイヤー３とは同一水準に配され、それらの滑車１５，１６，１７，２０が同一水準で横配置されることは当然の配慮である。加えて、これらは共に上記1)で述べたとおり第３実施形態で採られている別系統の復帰機構Ｓｂを採ることが推奨される。
更に、サッカー用の態様としては、ワイヤー２，３は下方の定滑車１７，２０から直接に動滑車２１に連接させ、下方の床部Ｉへの固定Ｆとしてもよく、第３実施形態で述べたぜんまい式引戻し装置７５が採用されるとともに、天井部Ｈへ固定される。
なお、打撃機構部Ｓａの横張り態様においても、縦方向打撃及び横方向打撃を採ることができる。
【図面の簡単な説明】
【００４１】
【図１】本発明の一実施形態（第１実施形態）の球技用打撃練習装置の全体の概要構成（定状態）を示す図。
【図２】本実施形態の球技用打撃練習装置の動状態を示す図。
【図３】復帰機構部の拡大詳細部図。
【図４】重錘の一例示態様図。
【図５】復帰機構部の原理詳細図。
【図６】復帰機構部の他の態様図。
【図７】図６の７部分の拡大図。
【図８】本発明の他の実施形態（第２実施形態）の球技用打撃練習装置の概要構成を示す図。
【図９】（ａ）図は図８の部分拡大図。（ｂ）図は（ａ）図９−９線断面図。（ｃ）図は部分拡大図。
【図１０】緩衝機構の他の態様図。
【図１１】重錘の他の態様図。
【図１２】本発明の更に他の実施形態（第３実施形態）の球技用打撃練習装置の概要構成を示す側面図。
【図１３】本打撃練習装置の正面図。
【図１４】定滑車の拡大側面図。
【図１５】定滑車の断面図。
【図１６】引戻し機構の構成図。
【図１７】引戻し機構のぜんまいばね式引戻し装置の内部構成図（図１８の１７−１７線断面図）。
【図１８】図１７の１８−１８線断面図。
【符号の説明】
【００４２】
Ｓ，Ｓ１，２…球技用打撃練習装置、Ｓａ…打撃機構部、Ｓｂ…復帰機構部、１…打撃球、２…上部ワイヤー、３…下部ワイヤー、５，５ａ，５ｂ…動滑車系、６，６Ａ，６Ｂ…引戻し機構、２１…動滑車、２３…重錘、７１…重錘部、７２…ストッパー、７４…引張り材、７５…ぜんまいばね式引戻し装置、８２…巻取りドラム、８３…ぜんまいばね
【図１】
2006326276.tif 000003
【図２】
2006326276.tif 000004
【図３】
2006326276.tif 000005
【図４】
2006326276.tif 000006
【図５】
2006326276.tif 000007
【図６】
2006326276.tif 000008
【図７】
2006326276.tif 000009
【図８】
2006326276.tif 000010
【図９】
2006326276.tif 000011
【図１０】
2006326276.tif 000012
【図１１】
2006326276.tif 000013
【図１２】
2006326276.tif 000014
【図１３】
2006326276.tif 000015
【図１４】
2006326276.tif 000016
【図１５】
2006326276.tif 000017
【図１６】
2006326276.tif 000018
【図１７】
2006326276.tif 000019
【図１８】
2006326276.tif 000020